(57)【要約】【課題】塵芥を効率良く投入することができるとともに、設置スペースの省スペース化を図ることができる塵芥投入装置を提供する。【解決手段】  貯留槽５の上部もしくは側面に設けられた投入部５１を通じて貯留槽５に塵芥を投入する塵芥投入装置１であって、投入部５１の周囲には、内部に塵芥が収容可能な内側が開口２１されたドーナツ状の回転体２が水平軸を中心に所定の方向に回転自在に設けられる一方、回転体２内には下部に面して設けられた投入手段４を通じて内部に収容された塵芥を上方に搬送して投入部５１に投入する少なくとも１枚の搬送板３が設けられている。搬送板３は、回転体２の中心よりも所定の高さ上方の位置で水平になるように配設され、この位置からさらに回転体２が回転することで、搬送板３の内側端部が下方となるように傾斜し始め、頂部付近に達した時にその傾斜動作によって塵芥を投入部５１に投入するように構成されている。【選択図】  図１
2005255377.tif 000002
【特許請求の範囲】
【請求項１】
貯留槽の上部もしくは側面に設けられた投入部を通じて当該貯留槽に塵芥を投入する塵芥投入装置であって、
前記投入部の周囲には、内部に塵芥が収容可能な内側が開口されたドーナツ状の回転体が水平軸を中心に所定の方向に回転自在に設けられる一方、この回転体内には下部に面して設けられた投入手段を通じて内部に収容された塵芥を上方に搬送して上記投入部に投入する少なくとも１枚の搬送板が設けられたことを特徴とする塵芥投入装置。
【請求項２】
前記搬送板は、回転体の中心よりも所定の高さ上方の位置で水平になるように配設され、この位置からさらに回転体が回転することで、当該搬送板の内側端部が下方となるように傾斜し始め、頂部付近に達した時にその傾斜動作によって塵芥を投入部に投入するように構成されてなることを特徴とする請求項１記載の塵芥投入装置。
【発明の詳細な説明】
【技術分野】
【０００１】
本発明は、貯留槽の上部等に設けられた投入部を通じて当該貯留槽に塵芥を投入する塵芥投入装置に関する。
【背景技術】
【０００２】
従来、この種の塵芥投入装置としては、地上において装置本体まで移送したゴミ容器を当該装置本体に装着した後、このゴミ容器を地上からポストに沿って上方に持ち上げ、当該上方においてゴミ容器をその上部開口が貯留槽の投入部に臨むようにガイドによって反転させることにより、ゴミ容器内の塵芥を投入部を通じて貯留槽に投入する装置が提供されている（例えば特許文献１参照）
【特許文献１】特開平６−２１９５０３号公報
【発明の開示】
【発明が解決しようとする課題】
【０００３】
しかしながら、上記従来のものでは、ゴミ容器を装置本体に装着して当該ゴミ容器を上方まで持ち上げて反転させているため、装着の仕方が悪ければ、ゴミ容器の上方への搬送時において落下を招く虞があり安全性の面で問題があるとともに、周辺へゴミが飛散する虞もあり外部環境の悪化を招くという問題があった。
【０００４】
また、上記ゴミ容器も装置に一体的に組み込む場合には、装置全体が大型になり設置スペースが大きくなる傾向があるが、この場合でも装置全体をコンパクトなものにして省スペース化を図ることが要望されていた。
【０００５】
本発明は、上記問題点に鑑みてなされたもので、その目的とするところは、バケットを使用することなく塵芥を効率良く投入することができるとともに、設置スペースの省スペース化を図ること、と共にある程度の連続的なごみ投入に対応することができる塵芥投入装置を提供することにある。
【課題を解決するための手段】
【０００６】
上記の目的を達成するため、請求項１に係る発明の塵芥投入装置は、貯留槽の上部もしくは側面に設けられた投入部を通じて当該貯留槽に塵芥を投入する塵芥投入装置であって、前記投入部の周囲には、内部に塵芥が収容可能な内側が開口されたドーナツ状の回転体が水平軸を中心に所定の方向に回転自在に設けられる一方、この回転体内には下部に面して設けられた投入手段を通じて内部に収容された塵芥を上方に搬送して上記投入部に投入する少なくとも１枚の搬送板が設けられたものである。
【０００７】
請求項２に係る発明の塵芥投入装置は、前記搬送板が回転体の中心よりも所定の高さ上方の位置で水平になるように配設され、この位置からさらに回転体が回転することで、当該搬送板の内側端部が下方となるように傾斜し始め、頂部付近に達した時にその傾斜動作によって塵芥を投入部に投入するように構成されてなるものである。
【発明の効果】
【０００８】
本発明によれば、投入部の周囲に回転体を配設するだけであるため、装置全体の小型化を図ることができ、設置スペースの省スペース化を図ることができる。また、投入手段から回転体内への塵芥の投入を常時行うことができるので塵芥を効率良く投入することができる。
【発明を実施するための最良の形態】
【０００９】
以下、本発明の実施の形態について図面を参照して説明する。
【００１０】
図１及び図２は、本発明の塵芥投入装置を示している。
【００１１】
塵芥投入装置１は、貯留槽５の上部に設けられた投入部としての投入ホッパ５１を通じて当該貯留槽５に塵芥を投入するためのものである。
【００１２】
上記貯留槽５としては、例えば図示例のようにドラムが水平軸回りに回転自在に設けられており、塵芥投入装置１によって投入ホッパ５１に投入した塵芥を図示しないシュートを通じてドラム内に導入し、このドラムの回転動作により内部に設けたブレードの作用で投入ホッパ５１と反対側の排出口側に搬送して圧縮しながら貯留し、貯留した塵芥を排出口から適宜に排出するようにしている。
【００１３】
以下、塵芥投入装置１について図１及び図２を参照しながら説明する。
【００１４】
この塵芥投入装置１は、前記貯留槽５の投入ホッパ５１の周囲に配設された回転体２と、該回転体２に設けられた複数枚の搬送板３とを備えている。
【００１５】
回転体２は、内側が開口２１されたドーナツ状に形成されており、その内側開口２１を通じて内部に塵芥が収容可能になされている。この回転体２は、下部に左右一対設けられた下部支持ローラ２２と、頂部に設けられた頂部支持ローラ２３とによりその中心軸を中心にして回転自在に支持されるとともに、これらローラ２２、２３の近傍に設けられたスラストローラ２４により軸芯方向が支持されている。そして、このように支持された回転体２は駆動モータ２５により図示しない伝達機構を介して図１において時計回りの方向に回転するように構成されている。なお、ローラ２２、２３として鍔付きのローラを用い、当該鍔部分で軸芯方向を支持することによって上記スラストローラ２４を省略することもできる。
【００１６】
前記搬送板３は、回転体２内に収容された塵芥を上方に搬送して投入ホッパ５１に投入するためのもので、図示例では４枚が等間隔に配設されている。
【００１７】
この搬送板３は、以下のような状態で回転体２に対して配設されている。図１において左側やや上方に配置された搬送板３′を例に採れば、回転体２の手前側前壁から奥行き側後壁に向けて下方に傾斜し、且つ回転体２の中心よりも所定の高さ上方の位置（搬送板３′の位置）で水平方向に配置されるようになされている。つまり、図１における搬送板３′の位置からさらに搬送板３′が回転体２とともに回転することで、当該搬送板３′の内側端部３′ａが下方となるように傾斜し始め、頂部付近に達した時に搬送板３′の上面に支持した塵芥をその傾斜動作によって投入ホッパ５１に投入するようにしている。このため搬送板３′の内側端部３′ａを回転体２の前後壁よりも内方に突設させることによって投入ホッパ５１に塵芥を円滑に案内するようにしている。
【００１８】
なお、他の搬送板３についても搬送板３′の位置で同様な状態になるように回転体２に配設されている。
【００１９】
一方、回転体２の下部前方には投入手段４が設けられている。投入手段４は、図２に示すように回転体２の下部前方に配置された投入プレートＡに形成された投入口４１が開閉蓋４２により開閉自在に設けられるとともに、投入口４１に回転体２の内部に臨んでシュート４３が設けられ、開閉蓋４２の開放により塵芥を投入口４１、シュート４３を通じて回転体２内の前記搬送板３で区画された各部位に収容するようにしている。
【００２０】
そして、このように構成された塵芥投入装置１は、前方に配設された壁体Ａ１によって外部と隔離されており、この壁体Ａ１の開口に上記投入プレートＡが設けられている。
【００２１】
また、上記投入手段４を含む回転体２の周囲全体が図２及び図３に示すようにカバー材６で覆われており、貯留槽５内や回転体２内から塵芥の臭気が外部に発散するのを防止している。
【００２２】
次に、このように構成された塵芥投入装置１による貯留槽５への塵芥の投入動作について説明する。
【００２３】
まず、開閉蓋４２を開放して投入口４１に塵芥を投入し、シュート４３を通じて当該塵芥を搬送板３、３で区画された回転体２内の下部に収容する。
【００２４】
このように塵芥を回転体２内に収容すると、駆動モータ２５を回転駆動させて回転体２を図１において時計回りの方向に回転させる。この回転体２の回転に伴って塵芥は下部に達した搬送板３に支持されながら上方に搬送され、その搬送板３が上部付近に達して傾斜状態になることで、当該搬送板３に支持されていた塵芥が投入ホッパ５１に投入され貯留槽５に収容される。
【００２５】
このように投入手段４から投入した塵芥を回転体２内に収容すると当該回転体２を回転させることで、塵芥を貯留槽５に投入することができる（図３参照）。
【００２６】
なお、回転体２は、少なくとも回転体２の下部に収容された塵芥を当該塵芥よりも回転方向上流側に位置する搬送板３によって上方に搬送して投入ホッパ５１に投入できるように回転させる必要があり、例えば一周回転させて停止させるようにすればよい。この場合、回転体２の停止位置の位置決めは、例えば駆動モータ２５の回転数を検出装置で検出することで行ってもよいし、リミットスイッチ、近接センサや光電センサなどの検出装置を用いて行うようにしてもよい。
【００２７】
また、回転体２の回転作動は、開閉蓋４２の一回ごとの開閉動作に連動して行うようにすればよい。また、開閉蓋４２を予め設定した適数回開閉した時に回転体２を回転させるようにしてもよい。つまり、開閉蓋４２の一回の開放による塵芥の投入可能量から全体の投入量を概算できるので、これを搬送板３間に収容された塵芥が回転方向上流側の搬送板３によって上方に落下することなく搬送されるであろう塵芥量と照らし合わせることによって開閉蓋４２の開閉回数を設定し、設定回数に達すれば回転体２を回転させるようにすればよい。この場合、リミットスイッチや近接センサなどの検出装置４４（図２参照）によって開閉蓋４２の開閉を検出し、この検出結果に基づいて回転体２の回転作動を行うようにすればよい。さらに、スイッチ操作によって回転体２の回転作動を行うようにしてもよい。
【００２８】
このように従来のようなバケットを使用することなく、投入ホッパ５１の周囲に配置した回転体２に収容した塵芥を搬送板３によって搬送して上記投入ホッパ５１に投入することで、従来のようなバケットの落下による部材の損傷や人身事故などがなく、高い安全性を確保することができるとともに、周辺への塵芥の飛散も防止でき周辺環境の悪化を防止することができる。
【００２９】
また、投入ホッパ５１の周囲に回転体２を配設するだけであるため、投入手段４から貯留槽５までの前後幅を極力薄くすることができ、これにより装置全体の小型化を図ることができ、設置スペースの省スペース化も図ることができる。
【００３０】
さらに、投入手段４から回転体２内への塵芥の投入を常時行うことができるので、投入者は塵芥を投入する際に待機する必要がなく塵芥を効率良く投入することができる。なお、回転体２が回転しているときに塵芥を投入した場合（開閉蓋４２の開閉を検出することで判断できる。）には、その塵芥を投入した位置から回転体２を例えば一周させるようにすればよい。
【００３１】
また、回転体２の下部に配置した投入手段４を通じて塵芥を投入するようにしているため、投入者の塵芥投入位置を極力低くすることができ、これにより塵芥の投入が容易になりバリアフリーにも対応することができる。
【００３２】
なお、上述した実施形態は、あくまでも本発明の好適な実施態様を示すものであって、本発明はこれに限定されることなく、その範囲内において種々設計変更可能である。
【００３３】
例えば、搬送板３の数は４枚に限らず、装置の規模などに応じて適数枚設ければよい。
【００３４】
また、塵芥投入装置１によって塵芥を投入する貯留槽５は、回転自在なドラムに限らず、塵芥投入装置１によって上部の投入部から投入された塵芥を内部に貯留するものであれば何でもよい。
【図面の簡単な説明】
【００３５】
【図１】本発明の塵芥投入装置を示す正面図である。
【図２】同じく塵芥投入装置を示す側面視の断面図である。
【図３】同じく塵芥投入装置に備えられたカバー材を示す側面視の断面図である。
【図４】同じく塵芥投入装置による塵芥投入動作を示す斜視図である。
【符号の説明】
【００３６】
１  塵芥投入装置
２  回転体
３  搬送板
４  投入手段
５  貯留槽
５１  投入ホッパ（投入部）
【図１】
2005255377.tif 000003
【図２】
2005255377.tif 000004
【図３】
2005255377.tif 000005
【図４】
2005255377.tif 000006